(57)【要約】      （修正有）【課題】蛍光Ｘ線測定のための基準標準品を作製する方法を提供する。【解決手段】所定元素の既知濃度を有する基準試料を提供する工程と、溶媒に基準試料を体積的に移入する移入工程と、溶媒によって担持された粉末状の賦形物質と混合する混合工程と、溶媒を蒸発させて、賦形物質の中に均一に分散された所定元素の前既知濃度を有する乾式基準標準品を形成する蒸発工程を含む。例として、溶媒はアセトンであり、賦形物質はラクトースである。【選択図】図１
2015132607.tif 000002
【特許請求の範囲】
【請求項１】
蛍光Ｘ線測定のための乾式基準標準品を作製する方法であって、
所定元素の既知濃度を有する基準試料を提供する、提供工程と、
溶媒に前記基準試料を体積的に移入する、移入工程と、
溶媒によって担持された粉末状の賦形物質と混合する、混合工程と、
前記溶媒を蒸発させて、前記賦形物質の中に均一に分散された前記所定元素の前記既知濃度を有する乾式基準標準品を形成する、蒸発工程と、
を含む、方法。
【請求項２】
前記溶媒は、アセトン、水、テトラヒドロフラン、プロパン−１−オール、プロパン−２−オール、メタノール、エタノール、１−４ダイオキシン、ジメチルスルホキシド、アセトニトリル又はこれら溶媒の混合物である、請求項１に記載の方法。
【請求項３】
前記溶媒はアセトンである、請求項１又は２に記載の方法。
【請求項４】
前記蒸発工程は室温で行う第１蒸発工程を含み、その後にオーブンの中で３５℃を上回る昇温で行う第２蒸発工程が続く、請求項１から３のいずれか一項に記載の方法。
【請求項５】
前記第２蒸発工程は少なくとも２４時間行われる、請求項４に記載の方法。
【請求項６】
前記賦形物質は、ラクトース、セルロース、炭酸カルシウム又はこれらの任意の混合物である、請求項１から５のいずれか一項に記載の方法。
【請求項７】
前記提供工程は、複数の元素の各々の既知濃度を有する少なくとも１つの基準試料を提供する工程と、溶媒に前記少なくとも１つの基準試料を体積的に移入して前記複数の元素の各々の既知濃度を有する希釈基準試料を得る工程とを含む、請求項１から６に記載のいずれか一項に記載の方法。
【請求項８】
複数の乾式基準標準品を提供する方法であって、
所定元素の既知濃度を有する基準試料を提供する、提供工程と、
前記複数の乾式基準標準品の各々のための各溶媒に前記基準試料の異なる濃度を体積的に移入する、移入工程と、
溶媒によって担持された粉末状の賦形物質と混合する、混合工程と、
前記溶媒を蒸発させて、前記賦形物質の中に均一に分散された前記所定元素の異なる既知濃度を有する前記複数の乾式基準標準品を形成する、蒸発工程と、
を含む、方法。
【請求項９】
蛍光Ｘ線の装置を校正する方法であって、
各乾式基準標準品に対し、所定元素の既知濃度を有する基準試料を提供し、溶媒に前記基準試料を体積的に移入し、溶媒によって担持された粉末状の賦形物質と混合し、前記溶媒を蒸発させて前記賦形物質の中に均一に分散された前記所定元素の前記既知濃度を有する乾式基準標準品を形成して、前記所定元素の異なる濃度を有する複数の乾式基準標準品を調製する、調製工程と、
前記乾式基準標準品の各々の前記蛍光Ｘ線を測定する、測定工程と、
前記の測定された蛍光Ｘ線及び前記所定元素の前記既知濃度から校正線を計算する、計算工程と、
を含む、方法。
【請求項１０】
請求項１から８のいずれか一項に記載の方法を用いて生成された、乾式基準標準品。
【請求項１１】
請求項８に記載の方法を用いて生成された所定元素の異なる既知濃度を有する、一連の乾式基準標準品。
【請求項１２】
複数の所定元素の異なる既知濃度を含み、
各乾式基準標準品は、異なる所定元素のさまざまな異なる濃度を含み、
各所定元素に対して、前記一連の乾式基準標準品はさまざまな異なる濃度を含む、請求項１１に記載の一連の乾式基準標準品。
【発明の詳細な説明】
【技術分野】
【０００１】
本発明は標準品の作製方法及び本発明によって作製された標準品に関する。
【背景技術】
【０００２】
蛍光Ｘ線（ＸＲＦ：Ｘ−Ｒａｙ  Ｆｌｕｏｒｅｓｃｅｎｃｅ）は、一部の技術分野において広く使用されている。Ｘ線が試料に向けられると、試料から二次Ｘ線が放出される。二次Ｘ線は試料に含有される元素に依存し、放出されたＸ線の強度が試料中の元素濃度を決定するために用いられ得る。
【０００３】
放出された蛍光Ｘ線の強度は、関連元素の濃度だけでなく、元素が含まれる試料及びマトリックスの調製にも依存する。従って、試料の調製は重要である。
【０００４】
正確な測定のため、蛍光Ｘ線装置は、被測定試料に類似するべき適切な基準試料に対して校正（ｃａｌｉｂｒａｔｅ）される必要がある。定量的測度値は、基準試料及び試験試料から放出されたＸ線を比較することによって得ることができる。
【０００５】
ＸＲＦの多くの用途のための基準試料／物質は、市販されている。しかし、例えば医薬品部門を含むより広範囲の商業用途でＸＲＦを使用するために、適切な基準試料が必要となる。
【０００６】
医薬品のためのＸＲＦの使用について、Ｉａｎ  Ｃａｍｐｂｅｌｌらの非特許文献１で議論されてきた。この論文では、医薬品部門におけるＸＲＦの用途について考察されている。
【非特許文献１】Ｉａｎ  Ｃａｍｐｂｅｌｌ、外５名、“Ｔｈｅ  Ｕｓｅ  ｏｆ  ＥＤＸＲＦ  ｆｏｒ  Ｐｈａｒｍａｃｅｕｔｉｃａｌ  Ｍａｔｅｒｉａｌ  Ｅｌｅｍｅｎｔａｌ  Ａｎａｌｙｓｉｓ”、［ｏｎｌｉｎｅ］、２０１２年１１月９日、Ａｍｅｒｉｃａｎ  Ｐｈａｒｍａｃｅｕｔｉｃａｌ  Ｒｅｖｉｅｗ、インターネット＜ＵＲＬ：  http://www.americanpharmaceuticalreview.com/1504−White−Papers−Application−Notes/124874−The−Use−of−EDXRF−for−Pharmaceutical−Material−Elemental−Analysis/＞
【０００７】
非特許文献１で考察された基準試料は、マトリックスとしてセルロース賦形物質を使用し、かつ、有機金属を使用して作製される。このようなプロセスにおいて、開始点は、トルエン中に溶解した有機金属形状の金属の溶液である。
【０００８】
しかし、この方法による信頼性のある標準品の調製は、時間がかかるうえ、健康被害をもたらす可能性もあり、困難であることが判明した。
【０００９】
更に、医薬品のための適切な乾式基準標準品は市販されていない。
【００１０】
例えば、特に金属元素などの元素の正確な測定は、数多くの理由から必要とされ得る。例えば、触媒として、医薬品の製造に関与してきたであろう任意の元素が生成物に存在しないことを検査する必要があるかもしれない。さまざまな形で潜在的に起こりうる混成がないことを検査する必要があるかもしれない。このような検査は、製造業者によって選択され得るか、あるいは、健康及び／又は安全に対して責任を負う国家又は国際的な基準団体によって要求され得る。
【００１１】
従って、医薬賦形剤として一般的に使用される物質のマトリックスを含む基準標準品を調製する方法及びこのような方法で生成される標準品が必要となる。
【発明の概要】
【００１２】
本発明の第１の態様に従って、蛍光Ｘ線測定のための基準標準品を作製する方法が提供される。この方法は、所定元素の既知濃度を有する基準試料を提供する工程と、溶媒を用いて基準試料を体積的に移動する工程と、賦形物質と混合する工程と、溶媒を蒸発させて賦形物質中に均一に分散された金属の既知濃度を有する乾式基準試料を形成する工程とを含む。
【００１３】
基準試料は水性の基準標準品でよく、つまり水、希硝酸又は同様のものといった溶液に基づく水中に担持された元素でよい。
【００１４】
溶媒は所定元素の既知濃度を有する基準試料と混合できる。溶媒は、例えばアセトン、水、テトラヒドロフラン、プロパン−１−オール、プロパン−２−オール、メタノール、エタノール、１−４ダイオキシン、ジメチルスルホキシド、アセトニトリル又はこれら溶媒の混合物でよい。このような溶媒は、本発明で利用するための最も利用可能な水性の基準標準品と混合するのに適している。特に、溶媒は、広く入手可能で、かつ、容易に蒸発させることができるアセトンでよい。
【００１５】
代替的な溶媒として、例えばブタノン、エチルイソプロピルケトン又はメチルイソブチルケトンなどの他のケトン類でよい。
【００１６】
賦形物質はラクトース、セルロース又は炭酸カルシウム、これら３つの任意の混合物、あるいは同様の物質でよい。
【００１７】
溶媒を蒸発させる工程には室温で行う第１蒸発工程が含まれ、オーブンの中で３５℃を上回る昇温で行う第２蒸発工程がこれに続く。第２蒸発工程は、少なくとも２４時間行われ得る。
【００１８】
方法は、複数の元素の既知濃度を有する基準試料を提供することができる。
【００１９】
方法は、所定元素の異なる既知濃度を有する複数の乾式基準標準品を提供する工程も更に含む。この場合、複数の乾式基準標準品のための溶媒に基準試料を体積的に移入する工程は、複数の乾式基準標準品の各々のための各溶媒に基準試料の異なる濃度を体積的に移入することによって行い、所定元素の異なる既知濃度を有する複数の乾式基準標準品を得ることができる。
【００２０】
本発明の第２の態様において、蛍光Ｘ線装置を校正する方法を提供する。この方法は、上述のような方法を用いて、所定元素の異なる濃度を有する複数の基準試料を調製する工程と、基準試料の各々の蛍光Ｘ線を測定する工程と、測定された蛍光Ｘ線及び所定元素の既知濃度から校正線（ｃａｌｉｂｒａｔｉｏｎ  ｌｉｎｅ）を計算する工程とを含む。
【００２１】
本発明の第３の態様は、乾式基準標準品又は上記の方法を用いて生成された一連の乾式基準標準品に関する。
【００２２】
本発明の更なる発展部分は従属請求項の主題である。
【図面の簡単な説明】
【００２３】
【図１】ヒ素の既知濃度に対する測定されたＸＲＦ強度を表示する校正線の図である。
【発明を実施するための形態】
【００２４】
ＸＲＦ測定を医薬試料に行うために、全体に均一に分散された元素を有する乾式基準標準品が必要となる。
【００２５】
液体中、一般には溶液中で担持された元素は、基準標準品として市販されている。例えば、標準品は誘導結合プラズマ発光分析法（ＩＣＰ−ＯＥＳ：Ｉｎｄｕｃｔｉｖｅｌｙ  Ｃｏｕｐｌｅｄ  Ｐｌａｓｍａ  Ｏｐｔｉｃａｌ  Ｅｍｉｓｓｉｏｎ  Ｓｐｅｃｔｒｏｍｅｔｒｙ）、誘導結合プラズマ質量分析法（ＩＣＰ−ＭＳ：Ｉｎｄｕｃｔｉｖｅｌｙ  Ｃｏｕｐｌｅｄ  Ｐｌａｓｍａ  Ｍａｓｓ  Ｓｐｅｃｔｒｏｍｅｔｒｙ）、イオンクロマトグラフ（ＩＣ：Ｉｏｎ  Ｃｈｒｏｍａｔｏｇｒａｐｈｙ）又は原子吸光分析法（ＡＡＳ：Ａｔｏｍｉｃ  Ａｂｓｏｒｐｔｉｏｎ  Ｓｐｅｃｔｒｏｍｅｔｒｙ）に適した市販の標準品、標準溶液でよい。このような標準品の１つに、１００００ｐｐｍ（パーツパーミリオン）で、５容量％（ｖ／ｖ）の硝酸溶液中のヒ素（Ａｓ）がある。１００００ｐｐｍは１％であることが理解される。他のこのような標準品は、周期表の他の元素に利用可能である。
【００２６】
医薬品に対するＸＲＦ測定に適した乾式基準標準品を調製するため、液体中で担持される所定元素を含有する基準標準品を、例えば、アセトンなどの溶媒に体積的に移入する。この結果生じた希釈基準標準品は、例えば１０ｐｐｍから５００ｐｐｍの範囲のより希薄な濃度の所定元素を含む。
【００２７】
試験対象の試料のマトリックスに対応するマトリックス物質は、粉末状で提供される。マトリックス物質は、医薬賦形剤として使用される物質でよく、一般に炭酸カルシウム、セルロース又はラクトースでよい。
【００２８】
溶媒中の希釈基準標準品の量は、続いて既知質量の粉末と混合され、混合物を形成する。混合物は十分に混合される。
【００２９】
続いて、混合物はある形状で置かれ、加熱されてアセトンを除去する。これにより、この形状から除去され得る標準品の全体に同種金属を有する多くの粉末が生じる。
【００３０】
このような標準品はＸＲＦ測定において使用され得る。この標準品は、全体に同種金属を有する適切な医薬賦形剤の乾燥試料である。
【００３１】
標準品は粉末状で使用されるか、あるいは圧縮されて固体の標準品を形成する。
【００３２】
上述した方法は比較的簡単なものであり、それ故、乾式基準標準品をこの方法で作製することは、有機金属を伴う手法よりも、はるかに容易である。更に、方法は、特に基準標準品において重要な優れた均一性といった極めて良好な結果をもたらす。
【００３３】
標準品が容易に作製できることで、多種多様な金属の混成を検査するために、ＸＲＦ標準品が多数の金属のために作製され得る。
【００３４】
実施形態において、基準標準品は、加熱前に２つ以上の金属の低濃度の調製品を微粉砕物と混合させることによって、標準品に含まれる多数の元素を有することができる。
【００３５】
標準品をさまざまな元素を測定するために使用できるように、標準品はそれぞれ、異なる濃度のさまざまな元素を含むことができる。
【００３６】
特に、標準品の以下のグループが提案される。標準品の各グループは、異なる濃度の異なる元素の範囲を含む。第１の標準品はＡｓ、Ｃｄ、Ｈｇ及びＰｂを含むことができる。第２の標準品は、Ｒｕ、Ｒｈ、Ｐｄ、Ｉｒ又はＰｔを含むことができる。第３の標準品は、Ａｌ、Ｖ、Ｃｒ、Ｍｎ、Ｆｅ、Ｎｉ、Ｃｕ、Ｚｎ又はＭｏを含むことができる。
【００３７】
ただし、各標準品が異なる元素のさまざまな異なる濃度を含み、かつ、各元素に対し、一連の標準品がさまざまな異なる濃度を含むように、標準品が準備される。例示的な標準品は表１の通りである。
【００３８】
【表１】
2015132607.tif 000003
【００３９】
この乾式基準標準品の選択と併せて、蛍光Ｘ線を用いるためにさまざまな元素が検査される。
（実施例）
【００４０】
以下の方法を用いて実施例が調製された。
【００４１】
３桁の天秤（ｔｈｒｅｅ−ｆｉｇｕｒｅ  ｂａｌａｎｃｅ）を使用して、秤量紙上にマトリックス／賦形剤（セルロース、ラクトース又は炭酸カルシウム）を２５０ｇ秤量し、続いて大きなガラス皿に移す。ガラス皿の上に蓋を置き、一方に放置する。
【００４２】
小型のガラスビーカーに１００ｍｌまでのアセトンを量り、メスシリンダーに３７０ｍｌまでのアセトンを量る。
【００４３】
市販の標準溶液の所要量をピペットで取り、１００ｍｌまでのアセトンに入れる。溶液間の混成を防ぐために、新しいピペットチップを使用して、各標準溶液を分注する。
【００４４】
最後の標準溶液が分注された後、３７０ｍｌまでのアセトンをマトリックス上へ慎重に注ぐ。必要であれば、アセトンを更に加える。過飽和状態を起こさず物質を事前に湿らせるための十分な液体があるべきである。
【００４５】
アセトン中の標準混合溶液を湿ったマトリックスに注ぐ。ビーカーを逆さにしている間、溶液がまだ存在している可能性があるビーカーの縁に細心の注意を払いつつ、洗浄ボトルからアセトンを吹き付ける。より多くのアセトンでビーカーの内部を３回すすぎ、これを湿式混合物に加える。
【００４６】
ガラス棒を使用して湿式物質を完全に混合し、標準溶液の最大分散を確実にする。混合物上においてアセトンでガラス棒をすすぎ、続いてガラス皿の内部にアセトンを吹き付けて、混合物に戻るいかなる物質も洗い流す。
【００４７】
ドラフトチャンバーの内部に全ての試料を置き、全てのアセトンが蒸発するまで（アセトン臭が一切しなくなるまで）放置する。
【００４８】
ガラス棒を用いて、一定間隔で慎重に混合物をかき混ぜ、濃縮された斑（ｐａｔｃｈ）の形成を防止する。続いて、混合物上において、これをアセトンで洗い流す。
【００４９】
アセトンが全く残っていないと考えられる場合、４０℃に設定したオーブンの中にガラス皿を配置し、乾燥するまでそのままにする。この工程は、通常２日から３日かかる。十分に乾燥したと判断されると、ガラス皿の内容物を秤量紙の上に移し、続けてジップロック式袋に入れる。必要であれば、内容物の除去を助けるために専用のブラシを使用する。
【００５０】
内容物を混合するために、標準品を含有する袋は手で扱われる。このようにして、マトリックスのいかなる潜在的な高濃度領域も除去できる。グローブ袋の中に袋を置き、計量器具及びナルゲン（Ｎａｌｇｅｎｅ）ボトルの秤量に伴って、グローブ袋を密封して窒素でグローブ袋を速やかに充満させる。
【００５１】
粉末は、５ｇを量って１桁のポータブル型天秤（ｏｎｅ−ｆｉｇｕｒｅ  ｐｏｒｔａｂｌｅ  ｂａｌａｎｃｅ）上のガラス漏斗の秤量ボートに入れることで、３０ｍｌ用のナルゲンという首の細いボトルに移される。いったん全てのボトルがいっぱいになると、残りの余分な粉末をジップロック式袋の中に移す。
【００５２】
各ボトルのキャップ及び首にシールテープを巻きつける。この工程は全ての標準品に対して繰り返されるべきである。ジップロック式袋の中に残っている粉末は、ＰＡＮａｌｙｔｉｃａｌ  Ｅｐｓｉｌｏｎ３（登録商標）分光器を使用して分析され、正確性及び均一性を含む生成された乾式基準標準品の質を評価する。
【００５３】
上記の記載は、本発明に従った方法の一例である。当業者であれば、多くの変形形態が可能であると理解するであろう。
【００５４】
例えば、溶媒の正確な量又は固有性（ｉｄｅｎｔｉｔｙ）は変えることができる。アセトンの代わりに、例えば水、テトラヒドロフラン、プロパン−１−オール、プロパン−２−オール、メタノール、エタノール、１−４ダイオキシン、ジメチルスルホキシド又はアセトニトリルを使用することができる。
【００５５】
上述した温度及び時間は、必要に応じて変えることができる。秤量方法、使用した容器及び方法の詳細は、必要に応じて変えることができる。
【００５６】
試料の乾燥工程は、適切な温度及び時間で行われ、溶媒を蒸発させるために試料が十分に乾燥する限り変えることができる。
（結果）
【００５７】
結果の均一性及び再現性を検証するため、上述の方法がセルロース賦形剤を使用してヒ素元素に対して行われた。
【００５８】
特に、さまざまな量のヒ素と共に上記の方法を用いて、５つの標準品が調製された。
【００５９】
続いて、これらの標準品は図１に示された校正線を作成するために使用された。校正線は、ｐｐｍにおけるＡｓの既知濃度に対する測定されたＸＲＦ強度（強度率補正Ａｓ（Ｉ  ｒａｔｅ  ｃｏｒｒｅｃｔｅｄ  Ａｓ）／内部率（Ｉｎｔｅｒｎａｌ  ｒａｔｅ））を表示する。各標準品は、Ｅｐｓｉｌｏｎ３  ＸＲＦ分光器で順に測定され、結果が出力された。結果は計器内に記録された校正としての直線に当てはまった。平均平方誤差は、２．３９ｐｐｍで、検出の下限（３σ）は０．２ｐｐｍであり、各々に対する検出器ライブタイム（ｄｅｔｅｃｔｏｒ  ｌｉｖｅ  ｔｉｍｅ）は１２０秒であった。
【００６０】
続いて、賦形剤において通常３０ｐｐｍのＡｓを有する試料が測定のために使用された。
【００６１】
バルク試料（Ｃｅｌｌ−ＬＰ−０６ＡからＣｅｌｌ−ＬＰ−０６Ｊとラベル付けされた試料）からの１０のアリコートが、ルース粉末（５ｇ）試料として取り出された。これらは一度測定され（＃１）、各試料はキュベットから除去され、ティップバックして（ｔｉｐｐｅｄ  ｂａｃｋ  ｉｎ）、かつ、再分析され（＃２）、そして繰り返された（＃３）。これにより、１０の測定結果が３セット提供され、これらの測定結果に対して統計的分析が行われた。以下の表２に示された測定結果は、Ｅｐｓｉｌｏｎ３分光器を用いて分析された。
【００６２】
【表２】
2015132607.tif 000004
【００６３】
グラブス試験をデータに行い、任意の異常結果を決定した。測定された３０の値のうちの１つは、正規分布から外れた「異常値」と考えられる値、つまり３５．５であった。
【００６４】
試料は、誘導結合プラズマ質量分析法（ＩＣＰ−ＭＳ）を用いて試験された。良好な再現性が示され、試料はスチューデントのｔ検定（Ｓｔｕｄｅｎｔｓ−ｔ  ｔｅｓｔ）を合格し、試料が良品質であるということが証明された。
【００６５】
分散分析（ＡＮＯＶＡ：ａｎａｌｙｓｉｓ  ｏｆ  ｖａｒｉａｎｃｅ）試験が行われた。一因子のＡＮＯＶＡから、各試料の第１、第２及び第３測定結果に関して表３のような結果が得られた。
【００６６】
【表３】
2015132607.tif 000005
【００６７】
ＡＮＯＶＡの第２部分は、Ｆ試験を用いた帰無仮説（ｎｕｌｌ  ｈｙｐｏｔｈｅｓｉｓ）及び対立仮説（ａｌｔｅｒｎａｔｅ  ｈｙｐｏｔｈｅｓｉｓ）を使用して、平均平方を比較する。
【００６８】
この実施例では、統計的有意性がない（Ｆ  ０．１３３＜Ｆ  ｃｒｉｔ  ３．３５４）。臨界値以上のＦ値の確率（ｐ値として知られる）は、０．８７６であり、これは、０．０５よりはるかに高い確率である。従って、グループ内の分散は９５％の信頼限界（Ｐ  ０．８７６＜０．０５）において統計的に有意性がない。それ故、帰無仮説は受け入れることができる。つまり、結果はグループ間の著しい相違を示唆していない。
【００６９】
このように、この方法を用いて調製された試料は、質が良好であり、再現性も高い。特に、１０個の異なる５ｇの試料から試料間で高い再現性が明らかになった。
【００７０】
従って、有機金属を用いるこれまでの方法よりも問題が少なく、危険度が低い方法で、良い結果を伴う良好な乾式基準試料が調製された。
【図１】
2015132607.tif 000006
【外国語明細書】
2015132607000001.pdf